(57)【要約】      （修正有）【課題】シールダブルバッグシステムおよびデバイスを提供する。【解決手段】外袋１０と外袋１０に装備された内袋３０を有する二重収納、共に開口端で妨げられる連続した閉じ端を有するエンクロージャーの内袋３０および外袋１０、内袋３０の連続した閉じ端に近接する外袋１０の連続した閉じ端、および内袋３０の開口端に近接する外袋１０の開口端、内部で接続し、内部接続した開口端を同時に開閉する手段を有する近接し合った開口端、内袋の連続した閉じ端に含まれる第一のステッチおよび袋折りされた部分、および外袋１０の連続した閉じ端に含まれる第二のステッチおよび袋折りされた部分、内袋３０に位置し、外袋１０にある二つ目のステッチおよび袋折りされた部分に並んだり、重なり合ったりしないように配置された一つ目のステッチと袋折りされた部分を有するシールドアパラタス。【選択図】図７
2013169463.tif 000002
【特許請求の範囲】
【請求項１】
以下を有するシールドアパラタス
外袋と外袋に装備された内袋を有する二重収納
共に開口端で妨げられる連続した閉じ端を有するエンクロージャーの内袋および外袋。
内袋の連続した閉じ端に近接する外袋の連続した閉じ端、および内袋の開口端に近接する外袋の開口端。
内部で接続し、内部接続した開口端を同時に開閉する手段を有する近接し合った開口端。
内袋の連続した閉じ端に含まれる第一のステッチおよび袋折りされた部分、および外袋の連続した閉じ端に含まれる第二のステッチおよび袋折りされた部分、内袋に位置し、外袋にある二つ目のステッチおよび袋折りされた部分に並んだり、重なり合ったりしないように配置された一つ目のステッチと袋折りされた部分。
【請求項２】
請求項１で請求されるアパラタスは以下のことを含む。
近接し合った開口端を折った形にしておく手段。
【請求項３】
近接し合った開口端が重層に折られた形にされる特徴をもつ請求項２で請求されるアパラタス。
【請求項４】
近接し合った開口端の部分がさらなるステッチにより内部接続されることを特徴とする請求項１で請求されるアパラタス。
【請求項５】
シールディングアパラタスは以下のことを含む。
外袋と外袋に装備された内袋を有する収納具。
第一の端に開口端を有する内袋。
内袋の第一の端に近接する第一の開口端を有する外袋。
内部接合し、内部接合された片端を同時に開閉する手段をもつ近接し合った開口端。
第二の端に連続した閉じ端を有し、反対側の端も連続して閉口している内袋。
内袋の第二の連続した閉じ端に近接する第二の端に連続した閉じ端を有し、反対側の端も対応する内袋の連続した閉じ端に近接する外袋。
内袋の選択された部分を内部で接続する第一のステッチと外袋の選択された部分を内部で接続する第二のステッチ（内袋の第一のステッチは外袋の第二のステッチに重なったり並んだりしないように位置づけられる）。
【請求項６】
外袋の第二の閉じ端および相対する閉じ端のうち少なくとも一か所に縫製を伴うことを特徴とする請求項５で請求されるアパラタス。
【請求項７】
外袋の第二の閉じ端および相対する閉じ端のうち少なくとも一か所に縫製を伴うことを特徴とする請求項５で請求されるアパラタス。
【請求項８】
内袋の第二の閉じ端および相対する閉じ端のうち少なくとも一か所に折りまげることを伴うことを特徴とする請求項５で請求されるアパラタス。
【請求項９】
内袋の第二の閉じ端および相対する閉じ端のうち少なくとも一か所に縫製を伴うことを特徴とする請求項５で請求されるアパラタス。
【請求項１０】
請求項６で請求されるアパラタスは以下のことを含む。
近接し合った第一の端を折った形にしておく手段。
【請求項１１】
近接し合った第一の端で重層に折られた形にされることを特徴とする請求項１０で請求されるアパラタス。
【請求項１２】
近接し合った第一の端が第二の閉口端に向かって折られることを特徴とする請求項１１で請求されるアパラタス。
【請求項１３】
近接し合った第一の端の部分でさらなるステッチにより内部接続されることを特徴とする請求項５で請求されるアパラタス。
【請求項１４】
シールディングアパラタスは以下のことを含む。
外袋と外袋に装備された内袋を有する二重収納具。
それぞれが開口端で妨げられる連続した閉じ端を有する内袋および外袋。
内袋の連続した閉じ端に近接する外袋の連続した閉じ端、および内袋の開口端に近接する外袋の開口端。
内部で接続し、内部接続した開口端を同時に開閉する手段を有する近接し合った開口端。
第一のシーケンスの内袋の連続した閉じ端のステッチおよび袋折された部分の第一の組み合わせ、および第二のシーケンスの外袋の連続した閉じ端のステッチおよび袋折された部分の第二の組み合わせ。
【請求項１５】
請求項１４で請求されるアパラタスは以下のことを含む。
近接し合った開口端を折った形にしておく手段。
【請求項１６】
近接し合った開口端で重層に折られた形にされることを特徴とする請求項１５で請求されるアパラタス。
【請求項１７】
近接し合った開口端でさらなるステッチにより内部で接続されることを特徴とする請求項１４で請求されるアパラタス。
【請求項１８】
片方の袋がもつそれぞれの折ひだの部分で他方の袋の縫製部分に極近接することを特徴とする請求項１４で請求されるアパラタス。
【発明の詳細な説明】
【技術分野】
【０００１】
関連出願の相互参照
本願は、２００９年３月２３日に提出された米国特許出願第１２／３８３，３４８号の一部継続出願である、２０１１年６月２２日に提出された米国特許出願第１３／１６６，５１７号の一部継続出願である２０１１年７月１３日に提出された米国特許出願第１３／１８１，６７３号に係る一部継続出願であり、また２００８年４月４日に提出された仮特許出願第６１／０７２，９８６号の利益を主張し、前述の出願はすべて本願全体の記述に含まれるものである。
【背景技術】
【０００２】
背景
本開示はシールダブル収納デバイスおよびそのシステム、より詳細には、無線周波や赤外線、スキャン技術を遮ることができる、個人により携帯されるアイテムを収納する再利用可能なシールダブルバッグに関連するものである。
【０００３】
現代では、チップや磁気、その他の記憶媒体である内臓記憶媒体の利用が増えている。例とすれば情報を埋め込むことができる磁気帯がよく使われるクレジットカード、デビットカードや健康保険証、各種保険証などが挙げられる。暗号化された情報は、スキャナーを通すことによって読むことができ、売り手や各種サービスの提供者がその情報を読み取り、および／またはその情報をデータベースや請求システムなどのコンピューターに取り込むことができる。個人証明であるパスポートなどはデジタル化された情報を有し、スキャナーに近づけることにより、読み取られることができる。また、同様のスキャン技術は携帯電話のトラッキングにも利用することができる。
【０００４】
しかしながら、カードスキャナーやパスポートスキャナーのような意図されたデコーダーやリーダーばかりが情報を読み取るとは限らず、個人にその意図がなかったり、気が付かなくても、情報が読み取られてしまうことがある。これまでに挙げられたような情報が含まれたものから許可なくその情報が収集され、非道徳的または違法な目的に利用される深刻な恐れがある。セキュリティに対する関心が高まっている現代では、個人情報の盗難や諜報行為を防ぐことが重要である。
【０００５】
携帯電話、クレジットカード、身分証明、パスポートなど、個人が通常携帯しておりアイテムを保存することに利用できる低価格で簡単なデバイスやシステムを通して、このようなスキャンや情報トラッキングが行われることを避ける必要があり、保存された情報を、赤外線や無線周波および磁気カードデコーダーなどの電磁波を使った電磁干渉を防がなくてはならない。
【発明の概要】
【課題を解決するための手段】
【０００６】
要約
本開示の実施様態の一つは、外袋の中に内袋が装備された形の二重収納のシールディング装置である。内袋と外袋はどちらも片側に連続した閉じ端をもつエンクロージャーの形をつくり、開口端によりそのエンクロージャーは妨げられている。外袋の連続した閉じ端は、内袋の連続した閉じ端に近接しており、外袋の開口端は内袋の開口端に近接している。近接し合った開口端は相互に接続されており、相互接続した近接し合った開口端の開閉を同時に行うデバイスを有する。第一ステッチおよび袋折りされた部分は内袋の連続した閉じ端に含まれ、第二ステッチおよび袋折りされた部分は外袋の連続した閉じ端に含まれる。第一ステッチおよび袋折りされた部分は内袋に位置し、外袋の第二ステッチおよび袋折りされた部分に並んだり、重なったりしないようになっている。
【０００７】
本発明は、例えば以下の項目を提供する。
（項目１）  以下を有するシールドアパラタス
外袋と外袋に装備された内袋を有する二重収納
共に開口端で妨げられる連続した閉じ端を有するエンクロージャーの内袋および外袋。
内袋の連続した閉じ端に近接する外袋の連続した閉じ端、および内袋の開口端に近接する外袋の開口端。
内部で接続し、内部接続した開口端を同時に開閉する手段を有する近接し合った開口端。
内袋の連続した閉じ端に含まれる第一のステッチおよび袋折りされた部分、および外袋の連続した閉じ端に含まれる第二のステッチおよび袋折りされた部分、内袋に位置し、外袋にある二つ目のステッチおよび袋折りされた部分に並んだり、重なり合ったりしないように配置された一つ目のステッチと袋折りされた部分。
（項目２）  上記項目で請求されるアパラタスは以下のことを含む。
近接し合った開口端を折った形にしておく手段。
（項目３）  近接し合った開口端が重層に折られた形にされる特徴をもつ上記項目のうちのいずれかで請求されるアパラタス。
（項目４）  近接し合った開口端の部分がさらなるステッチにより内部接続されることを特徴とする上記項目のうちのいずれかで請求されるアパラタス。
（項目５）  シールディングアパラタスは以下のことを含む。
外袋と外袋に装備された内袋を有する収納具。
第一の端に開口端を有する内袋。
内袋の第一の端に近接する第一の開口端を有する外袋。
内部接合し、内部接合された片端を同時に開閉する手段をもつ近接し合った開口端。
第二の端に連続した閉じ端を有し、反対側の端も連続して閉口している内袋。
内袋の第二の連続した閉じ端に近接する第二の端に連続した閉じ端を有し、反対側の端も対応する内袋の連続した閉じ端に近接する外袋。
内袋の選択された部分を内部で接続する第一のステッチと外袋の選択された部分を内部で接続する第二のステッチ（内袋の第一のステッチは外袋の第二のステッチに重なったり並んだりしないように位置づけられる）。
（項目６）  外袋の第二の閉じ端および相対する閉じ端のうち少なくとも一か所に縫製を伴うことを特徴とする上記項目のうちのいずれかで請求されるアパラタス。
（項目７）  外袋の第二の閉じ端および相対する閉じ端のうち少なくとも一か所に縫製を伴うことを特徴とする上記項目のうちのいずれかで請求されるアパラタス。
（項目８）  内袋の第二の閉じ端および相対する閉じ端のうち少なくとも一か所に折りまげることを伴うことを特徴とする上記項目のうちのいずれかで請求されるアパラタス。
（項目９）  内袋の第二の閉じ端および相対する閉じ端のうち少なくとも一か所に縫製を伴うことを特徴とする上記項目のうちのいずれかで請求されるアパラタス。
（項目１０）  上記項目のうちのいずれかで請求されるアパラタスは以下のことを含む。
近接し合った第一の端を折った形にしておく手段。
（項目１１）  近接し合った第一の端で重層に折られた形にされることを特徴とする上記項目のうちのいずれかで請求されるアパラタス。
（項目１２）  近接し合った第一の端が第二の閉口端に向かって折られることを特徴とする上記項目のうちのいずれかで請求されるアパラタス。
（項目１３）  近接し合った第一の端の部分でさらなるステッチにより内部接続されることを特徴とする上記項目のうちのいずれかで請求されるアパラタス。
（項目１４）  シールディングアパラタスは以下のことを含む。
外袋と外袋に装備された内袋を有する二重収納具。
それぞれが開口端で妨げられる連続した閉じ端を有する内袋および外袋。
内袋の連続した閉じ端に近接する外袋の連続した閉じ端、および内袋の開口端に近接する外袋の開口端。
内部で接続し、内部接続した開口端を同時に開閉する手段を有する近接し合った開口端。
第一のシーケンスの内袋の連続した閉じ端のステッチおよび袋折された部分の第一の組み合わせ、および第二のシーケンスの外袋の連続した閉じ端のステッチおよび袋折された部分の第二の組み合わせ。
（項目１５）  上記項目のうちのいずれかで請求されるアパラタスは以下のことを含む。
近接し合った開口端を折った形にしておく手段。
（項目１６）  近接し合った開口端で重層に折られた形にされることを特徴とする上記項目のうちのいずれかで請求されるアパラタス。
（項目１７）  近接し合った開口端でさらなるステッチにより内部で接続されることを特徴とする上記項目のうちのいずれかで請求されるアパラタス。
（項目１８）  片方の袋がもつそれぞれの折ひだの部分で他方の袋の縫製部分に極近接することを特徴とする上記項目のうちのいずれかで請求されるアパラタス。
【０００８】
摘要
本開示の実施形態は、外袋および外袋内に装備された内袋を有する二重収納具を有する。内袋と外袋はともに開口端で妨げられる連続した閉じ端をもつエンクロージャーである。外袋の連続した閉じ端は内袋の連続した閉じ端に近接し、外袋の開口端は内袋の開口端に近接する。近接し合う開口端は内部で接合しており、内部接続した近接し合う開口端を同時に開閉するデバイスを有する。一つ目のステッチおよび袋折りされた部分は内袋の連続した閉じ端に含まれ、二つ目のステッチおよび袋折りされた部分は外袋の連続した閉じ端に含まれる。
【図面の簡単な説明】
【０００９】
【図１】図１は、シールダブルバッグの形成前の実施形態を示す平面視図である。
【図２】図２は、図１のシールダブルバッグの形成後の部分を示す斜視図である。
【図３】図３は、シールダブルバッグの形成前の部分のもうひとつの実施形態を示す平面視図である。
【図４】図４は、図３のシールダブルバッグの形成後の部分を示す斜視図である。
【図５−６】図５および図６は、図２および図４のシールダブルバッグを組み合わせた時に近接する部分を示す斜視図である。
【図７】図７は、図５のシールダブルバッグの部分に図６のシールダブルバッグの部分に挿入されたところを示した斜視図である。
【図８】図８は、片方の端が開いている、形成されたシールダブルバッグの実施形態を示す斜視図である。
【図９】図９は、図８の開口端が閉じた状態のシールダブルバッグの実施形態を示す平面視図である。
【図１０】図１０は、図９の開閉部が第一回目に折られて閉じられた端を示す平面視図である。
【図１１】図１１は、二重の形で図１０の開閉部が第二回目に折られて閉じられて折りたたまれた端を示す平面視図である。
【発明を実施するための形態】
【００１０】
詳しい説明
シールダブル収納デバイスはファブリックファラデーケージで構成される素材でできている。布素材を目的の形状にするためには縫製することが好ましいが、縫製により穴が開いてしまいこのような素材のシールディング能力が損なわれてしまうため、従来のやり方ではない袋の製作方法が求められる。
【００１１】
図１および図２は、適した素材１２で作られた外袋１０を含むシールディングデバイスの実施形態である。ポケット１０は折り目線１４を有する。外袋１０は図１および図２に示された通り、上部１６、反対の下部１８、片側２０、反対側２２である。素材１２をＦ１と記された矢印の通り折線１４で折り、素材１２でできた片面１２ａおよび反対面１２ｂがつくられ、その端上部１６および１８は重なりあう。また、側部２０の２０ａおよび２０ｂは側部２２の２２ａおよび２２ｂと重なり合う。図２にあるように側部の２０ａおよび２０ｂはステッチ２４によって縫い合わされ、側部２２の２２ａおよび２２ｂはステッチ２６によって縫い合わされる。これにより、結果として得られる外袋１０は、縫合された２０ａおよび２０ｂの端、折線１４で折られた折端、そして縫合された２２ａおよび２２ｂの連続して閉じられた端をもつこととなる。上端１６は下端１８と重なり、開口端２８をつくる。
【００１２】
図３および図４は同様に素材１２でできた内袋３０を構成するもうひとつのシールディングデバイスの形態である。内袋３０は折線３２および折線３４のふたつの折線をもつ。内袋３０は図３に示された通り上端３６と反対の下端３８および片側４０と反対側４２を有する。素材１２は図４の折線３２および折線３４でそれぞれＦ２、Ｆ３の矢印の通り折られて素材１２から成る第一面１２ｃおよび第二面１２ｄをつくり、横端４０および横端４２が重なり、上部３６の部分である３６ａおよび３６ｂは重なり、上部３６の一部である３６ｃに近接し、下部３８の一部である３８ａおよび３８ｂは重なり、下部３８の一部である３８ｃとに近接する。近接する端の４０および４２はステッチ４４により縫い合わされ、３８ａおよび３８ｂはステッチ４６により３８ｃと縫い合わされる。結果として得られる内袋３０は折線３２により折り返された端と、３８ａおよび３８ｂおよび３８で構成されて縫い端３８、折線３４に沿った折り返された端を有する、連続して閉じられた端をもつものである。
【００１３】
外袋１０およびそれとほぼ同じ大きさの内袋３０は前述のように構成され説明され、これらがひとつとなって密閉能力の高いシールディング装置になることができる。内袋３０を下記に説明される方法で外袋１０に挿入することにより、内袋３０は外袋１０の中に装備される。
【００１４】
上述の通り、素材に針を通すことはその素材の密閉能力を下げることとなる。外袋１０のステッチが内袋のステッチに並んでいたり、とても近くに位置することによって、この内袋および外袋のステッチよりシールディング装置の中からシグナルが漏れたり、中に入り込んだりする可能性がある。しかし、これから説明されるように内袋３０のステッチは外袋１０のステッチと並ばず、近接しない。
【００１５】
より詳細には、図５、６および図７にあるように、折線３２の袋端および部分３８ａ部分３８ｂ部分３８ｃを有する縫い端３８（図３参照）および折線３４のもうひとつ袋端から成る第一シーケンスの連続閉じ端を有する内袋３０は、外袋１０に挿入され、外袋の袋端および縫い端が第一シーケンスとは異なる第二シーケンスとなるように正しく位置づけられる。つまり外袋１０の連続した閉じ端は部分２０ａおよび部分２０ｂの縫い端３８（図１参照）、折線１４袋端、部分２２ａおよび部分２２ｂの縫い端２２（図１参照）を有する第二シーケンスであり、内袋の折線３２の袋端は外袋１０の縫い端２０に近接しており、内袋の縫い端３８は外袋の折線１４の袋端に近接し、内袋３０の折線３４の袋端は外袋１０の縫い端２２に近接している。
【００１６】
また、ステッチ４４によって縫合された端４０と端４２は内袋３０の連続した閉じ端の一部ではなく、このためステッチ４４は外袋１０の面１２ａに近接し、外袋１０のいずれのステッチにも近接していない。さらに、図５、図６および図７の矢印の通り、内袋３０が外袋１０に完全に挿入されると、外袋１０の端１６および端１８は、それぞれの開口端２８と開口端４８と同様にそれぞれ内袋３０の内側の端３６は近接する。
【００１７】
図８の近接した開口した端１６、１８および３６は５０の部分で縫い合わされて、開口端５４ひとつをもつ二重収納デバイス５２をつくる。手段５６ａおよび５６ｂは、この時点でひとつの開口端５４を同時に開け閉めするように配備される。また、図８の開閉をする手段５６は、ひとつの開口端５４の内側周囲で装置を閉じてしっかりと固定する、市販のＶｅｌｃｒｏ（登録商標）ブランドのフック５６ａおよびループ５６ｂを含む。
【００１８】
前述のように、ひとつの開口端５４での素材１２のステッチ５０は素材１２のシールディング能力を落とす可能性があるため、必要とされることは、締結手段であるフック５６ａおよびループ５６ｂに加えて、収納デバイス５２の最適な形で閉じることである。
【００１９】
この閉口をなし得るためにダブルフォールドシステムが適用され、収納デバイス５２の閉口はシグナルへの侵入および／またはシグナルの漏れに対して更にしっかりと閉じることができる。図９では、開口端５４は閉じている。加えられた閉口手段は追加のフック手段５８ａおよびループ手段５８ｂが含まれる。例をあげると、フック留め手段５８ａは、折線６０の下に位置する、収納デバイス５２の第一側面５２ａに配置され、図９および図１０に見ることができる。ループ留め手段の５８ｂは、５２ａの反対側の折線６２に近接して配置される。
【００２０】
収納デバイス５２の上端５２ｃをＲ１と記された矢印に示されるように折線６２で下端に向けて１８０度回転させることによりダブルフォールドシステムは完了される。この回転動作は、図１０にあるように、ループ手段５８ｂを収納デバイス５２の第一側面５２ａに近接させ、フック手段に直に近接させる。そして図１１の通り上端はまた折線６０でＲ２と記された矢印で示されるように第二回目の回転動作で再度１８０度下端および５２ｄに向けて折られる。第二回目の回転動作はループ留め手段をフック留め手段に重ね合わせた形で固定し、直前に記述された折られた部分に隠される。
【００２１】
前述によって、パーソナルデバイス１００は図１１では収納バッグ５２に内包され、前述の通りファブリックファラデーケージにより保護され、バッグ５２のすべてのシグナルの侵入または漏れから守る。重曹で厚みのある布製バッグ５２はスマートフォン、タブレット、アイパッドなどのモバイルデバイスに利用できる。そのようなデバイスがバッグ５２に入れ、バッグが折って閉じられた場合、デバイスおよびそのファイルコンテンツはインビジブルとなる。電話は鳴らない。ＩＤチップの情報はスキャンされない。重要情報は保護され、トラッキングは不可能である。このことは、アイフォーンには現在止めることができないトラッキングデバイスがあるため重要である。一度バッグ５２の中に入れられれば個人情報は守られ、個人のアイデンティティは読まれたり、スキャンされたり、スキミング装置によって傍受されたりすることから保護される。バッグ５２を作成するために使用できる適した素材は、ノースカロライナ州メイデンのＣａｒｏｌｉｎａ  Ｓｉｌｖｅｒ  Ｃｏ．が提供する「Ｓｉｌｖｅｒ  Ｐｌａｎｔｅｄ  Ｎｙｌｏｎ  Ｒｉｐ  Ｓｔｏｐ  Ｆａｂｒｉｃ」である。縫製に使用される素材は適したものであれば市場で手に入る糸でできる。
【００２２】
図で示された実施形態が表され、説明されたが、広い範囲での改良や変更、代替が今後の開示で考えられており、例をあげると、実施形態の機能や特性は他の機能や特性に対応した使用を伴わずに採用される可能性がある。したがって添付の特許請求がここに開示される実施形態の範囲を損なわない形で広く解釈されることが望ましい。
【図１】
2013169463.tif 000003
【図２】
2013169463.tif 000004
【図３】
2013169463.tif 000005
【図４】
2013169463.tif 000006
【図５−６】
2013169463.tif 000007
【図７】
2013169463.tif 000008
【図８】
2013169463.tif 000009
【図９】
2013169463.tif 000010
【図１０】
2013169463.tif 000011
【図１１】
2013169463.tif 000012
【手続補正書】
【提出日】平成24年10月30日(2012.10.30)
【手続補正１】
【補正対象書類名】明細書
【補正対象項目名】０００９
【補正方法】変更
【補正の内容】
【０００９】
【図１】図１は、シールダブルバッグの形成前の実施形態を示す平面視図である。
【図２】図２は、図１のシールダブルバッグの形成後の部分を示す斜視図である。
【図３】図３は、シールダブルバッグの形成前の部分のもうひとつの実施形態を示す平面視図である。
【図４】図４は、図３のシールダブルバッグの形成後の部分を示す斜視図である。
【図５】図５は、シールダブルバッグを示す。
【図６】図６は、シールダブルバッグを示す。
【図７】図７は、図５のシールダブルバッグの部分に図６のシールダブルバッグの部分に挿入されたところを示した斜視図である。
【図８】図８は、片方の端が開いている、形成されたシールダブルバッグの実施形態を示す斜視図である。
【図９】図９は、図８の開口端が閉じた状態のシールダブルバッグの実施形態を示す平面視図である。
【図１０】図１０は、図９の開閉部が第一回目に折られて閉じられた端を示す平面視図である。
【図１１】図１１は、二重の形で図１０の開閉部が第二回目に折られて閉じられて折りたたまれた端を示す平面視図である。
【手続補正２】
【補正対象書類名】図面
【補正対象項目名】全図
【補正方法】変更
【補正の内容】
【図１】
2013169463.tif 000013
【図２】
2013169463.tif 000014
【図３】
2013169463.tif 000015
【図４】
2013169463.tif 000016
【図５】
2013169463.tif 000017
【図６】
2013169463.tif 000018
【図７】
2013169463.tif 000019
【図８】
2013169463.tif 000020
【図９】
2013169463.tif 000021
【図１０】
2013169463.tif 000022
【図１１】
2013169463.tif 000023
【手続補正書】
【提出日】平成24年12月13日(2012.12.13)
【手続補正１】
【補正対象書類名】明細書
【補正対象項目名】０００９
【補正方法】変更
【補正の内容】
【０００９】
【図１】図１は、シールダブルバッグの形成前の実施形態を示す平面視図である。
【図２】図２は、図１のシールダブルバッグの形成後の部分を示す斜視図である。
【図３】図３は、シールダブルバッグの形成前の部分のもうひとつの実施形態を示す平面視図である。
【図４】図４は、図３のシールダブルバッグの形成後の部分を示す斜視図である。
【図５】図５は、シールダブルバッグを示す。
【図６】図６は、シールダブルバッグを示す。
【図７】図７は、図５のシールダブルバッグの部分に図６のシールダブルバッグの部分に挿入されたところを示した斜視図である。
【図８】図８は、片方の端が開いている、形成されたシールダブルバッグの実施形態を示す斜視図である。
【図９】図９は、図８の開口端が閉じた状態のシールダブルバッグの実施形態を示す平面視図である。
【図１０】図１０は、図９の開閉部が第一回目に折られて閉じられた端を示す平面視図である。
【図１１】図１１は、二重の形で図１０の開閉部が第二回目に折られて閉じられて折りたたまれた端を示す平面視図である。
【図１２】図１２は、図５と図６との関係、すなわち図２および図４のシールダブルバッグを組み合わせた時に近接する部分を示す斜視図である。
【手続補正２】
【補正対象書類名】図面
【補正対象項目名】図１２
【補正方法】追加
【補正の内容】
【図１２】
2013169463.tif 000024